(57)【要約】【課題】  磁石支持体をブロック本体の内部に収納した連結体で強固に連結固定し、磁力で２つのブロックを接合でき玩具ブロックを提供する。【解決手段】  対向して平行の平面の２面を有する多面体のブロック本体１の、前記２面にそれらの面に直角の１または複数の貫通孔８を設け、貫通孔８のそれぞれにおいて、プレート４の裏面に筒状突部５を立設した２個のプレート部２のそれぞれの筒状突部５内に磁石片６を挿入し、棒状の連結具７の両端部を２個のプレート部２の筒状突部５に嵌挿し２つのプレート部２を連結してなる磁石支持体２の棒状の連結具７と筒状突部５を、貫通孔８内に収納し、プレート部のプレート２の裏面をブロック本体１の表面に当接させて玩具ブロックを形成する。  それぞれの筒状突部５に、それぞれ棒体の連結具の一端を嵌入し、ブロック本体１の内部で連結具の他端をジョンイトで連結してもよい。【選択図】  図２
0003116318.tif 000002
【実用新案登録請求の範囲】
【請求項１】
対向して平行の平面の２面を有する多面体のブロック本体の、前記２面にそれらの面に直角の１または複数の貫通孔を設け、
前記貫通孔のそれぞれにおいて、
平面状のプレートの裏面に筒状突部を立設した２個のプレート部のそれぞれの筒状突部内に磁石片を挿入し、棒状の連結具の両端部を前記２個のプレート部の筒状突部に嵌挿し２つのプレート部を連結してなる磁石支持体の棒状の連結具と筒状突部を、前記貫通孔内に収納し、前記プレート部のプレートの裏面を前記ブロック本体の表面に当接させてなる玩具ブロック。
【請求項２】
垂直の複数の平面を有する多面体よりなるブロック本体を、それらの垂直面に直角に２分割した２分割体で構成し、                                            それら分割体の分割面のそれぞれに、対称的に、分割体の垂直側面に開口し、かつ、該側面に直角で、分割面の中央で交わり連通する溝で、前記２つの分割体を接合したときに貫通孔を形成する溝を設け、
平面状のプレートの裏面に筒状突部を立設したプレート部のそれぞれの筒状突部内に磁石片を挿入し、それら筒状突部に、前記２つの分割体を接合した場合に前記溝でできる貫通孔に対応した形状で前記貫通孔内に収納でき、かつ、仮想水平面上で前記垂直の面の数に対応した数に分岐した棒状の先端部を有する連結具の各分岐先端部を、前記筒状突部内に嵌入させ、前記連結具で前記プレート部を連結してなる磁石支持体の前記筒状突部と連結具を、前記２つの分割体を接合してなるブロック本体の前記貫通孔内に収納し、前記プレート部のプレートの裏面を前記ブロック本体の表面に当接させてなる玩具ブロック。
【請求項３】
垂直の４平面と、対向する水平の２平面を有する多面体のブロック本体を、前記垂直の４面に直角に上下２分割した２分割体で構成し、
それら分割体の分割面のそれぞれにおいて、対称的に、分割体の垂直側面に開口し、かつ、該側面に直角で、分割面の中央部で交叉連通する溝で、前記２つの分割体を接合したときに貫通孔を形成する溝を設け、前記溝が前記分割面の中央部で交叉連通する箇所で垂直の貫通孔を設け、
前記２つの分割体を接合したときに前記溝と貫通孔とでできる立体的貫通孔に収納でき、かつ、水平の棒状の４分岐部と、その分岐点において前記垂直の貫通孔に嵌入できる上下に垂直の２分岐部とでなる連結具の各分岐先端部を、前記連結具の分岐先端部の数の平面状のプレートの裏面に筒状突部を立設したプレート部のそれぞれの筒状突部内に磁石片を挿入しした後、前記プレート部の筒状突部内に嵌挿して、前記プレート部を連結してなる磁石支持体を前記２つの分割体を接合してなるブロック本体の前記立体的貫通孔内に収納し、前記プレート部のプレートの裏面を前記ブロック本体の表面に当接させてなる玩具ブロック。
【請求項４】
球体、または、対向して曲面と曲面を有する多面体のブロック本体に前記球体においては中心を通る貫通孔を設け、前記多面体においては、前記２つの曲面で開口し、中央部を通る貫通孔を設け、
裏面が前記ブロック本体の球面または曲面に対応する曲面のプレートの裏面に筒状突部を立設した２個のプレート部のそれぞれの前記筒状突部内に磁石片を挿入し、前記筒状突部内に先端部を嵌挿できる連結用の棒状の連結具の先端部を嵌入して２個のプレート部を連結してなる磁石支持体の連結具と筒状突部を前記貫通孔内に収納し、前記２つのプレートの裏面を前記ブロック本体の表面に当接させてなる玩具ブロック。
【請求項５】
球体のブロック本体、または、対向した曲面と曲面を有するブロック本体を、中心または中央部を通る仮想面で２分割した２分割体で構成し、それら分割体の分割面のそれぞれに、分割体の周側の複数の箇所で開口し、かつ、分割面の中心または中央部で交わり連通する溝で、前記２つの分割体を接合したときに貫通孔を形成する溝を対称的に設け、
前記ブロック本体の表面の球面または曲面に対応した曲面のプレートの裏面に筒状突部を立設した、前記２つの分割体を接合したときにできる貫通孔の開口の数のプレート部のそれぞれの筒状突部内に磁石片を挿入し、前記２つの分割体の接合時に前記溝でできる貫通孔に対応した形状で、かつ、該貫通孔内に収納でき、前記貫通孔の開口数に対応した数に分岐した先端部を有する連結具のそれぞれの先端部を、前記プレート部のそれぞれの筒状突部内に嵌挿してなる磁石支持体の連結具と筒状突部を前記２つの分割体を接合してなるブロック本体の貫通孔内に収納し、前記２つのプレートの裏面を前記ブロック本体の表面に当接させてなる玩具ブロック。
【請求項６】
対向して曲面と平面を有する多面体のブロック本体に、前記２面で開口する貫通孔を設け、
裏面が前記ブロック本体の曲面に対応する曲面のプレートと、平面のプレートのそれぞれの裏面に、前記貫通孔に嵌挿できる筒状突部を立設した２個のプレート部のそれぞれの前記筒状突部内に磁石片を挿入し、前記２個のプレート部の筒状突部のそれぞれに棒状の連結具の端部を嵌挿して２個のプレート部を連結した磁石支持体の前記筒状突部と連結具を前記貫通孔内に収納し、プレート部のプレートの裏面をブロック本体に当接させてなる玩具ブロック。
【請求項７】
２つの分割体の分割面の中心部において、分割面の中央部で交わり連通する溝においては、その交わる箇所で、対向する２面で開口する溝においては、その長手方向の中央部で、前記溝に垂直で、かつ、分割体の分割面に対向する表面に開口する貫通孔を設け、プレート部の連結用の連結具を、前記２つの分割体を接合して前記溝と貫通孔でできる立体的貫通孔に対応して分岐する形状の連結具とし、該連結具のそれぞれの分岐部の先端部を磁石を収納したプレート部の筒状突部に嵌挿してなる磁石支持体の前記連結具とそれにより連結した筒状突部とを、前記２つの分割体を接合してなるブロック本体の立体的貫通孔内に収納してなることを特徴とする請求項５および６のいずれかに記載の玩具ブロック。
【請求項８】
球体または多面体よりなるブロック本体に交叉連通する複数の貫通孔を設け、その交叉箇所に、少なくとも前記貫通孔の開口の数の貫通孔または凹部を設けたジョイントを内蔵させ、前記貫通孔の開口に対応する数の、裏面が前記ブロック本体の表面に対応したプレートの裏面に筒状突部を立設したプレート部の各筒状突部に磁石片を挿入した磁石支持体の、前記筒状突部に棒状の連結具の一端を嵌入させ、それら連結具の開放端を前記ブロック本体の貫通孔の開口から挿入し、前記筒状突部を該貫通孔に嵌入させ、かつ、前記磁石支持体のプレートをブロック本体の表面に当接させ、前記連結具の開放端を前記ジョイントの貫通孔または凹部に嵌入させて、該ジョイントで前記連結具を連結固定してなる玩具ブロック。
【請求項９】
磁石片を用いないで、プレートと筒状突部を磁石で構成してなることを特徴とする請求項１乃至８に記載の玩具ブロック。
【請求項１０】
ブロック本体の表面に、プレートと筒状突部よりなるプレート部のプレートの裏面側を嵌合できる凹部を設け、その凹部に前記プレートの裏面側を嵌合し、前記プレートの表面が前記ブロック本体の表面と面一となるか、または、前記プレートの表面部が突出してブロック本体の表面に盛り上がった状態であることを特徴とする請求項１乃至９のいずれかに記載の玩具ブロック。
【考案の詳細な説明】
【技術分野】
【０００１】
この考案は、磁石を取付け、他のブロックの磁石と互いに引きつけあって連結できる玩具ブロックに関するものである。
【背景技術】
【０００２】
従来から、特許文献１に記載のように、ブロック本体の表面に凹部を設け、その凹部に磁石を嵌合し接着固定した玩具ブロックがある。
【特許文献１】特開２００３−１１１９８３号公報（０００９、図５および６）
【考案の開示】
【考案が解決しようとする課題】
【０００３】
従来の前記ブロックの構成では、幼児が使用するのに安全であるように、ブロック本体をＥＶＡやゴム等柔軟な材料で形成すると、使用時ブロック本体に押したり曲げたりする圧力が繰り返し加わって、磁石が凹部から剥がれ落ちるおそれがある。
この考案は、プレートの裏面に筒状突部を立設した磁石よりなる複数のプレート部、または、プレートの裏面に筒状突部を立設しその筒状突部に磁石を収納した複数のプレート部を、ブロック本体内で連結具で連結し、磁石支持体の固定が確実で、ブロック本体がくりかえし押したり曲げたりしても、ブロック本体から磁石支持体が外れない玩具ブロックや接合した２つのブロックが回転し易い玩具ブロックを提供することを目的とする。
【課題を解決するための手段】
【０００４】
対向して平行の平面の２面を有する多面体のブロック本体の、前記２面にそれらの面に直角の１または複数の貫通孔を設け、
前記貫通孔のそれぞれにおいて、
平面状のプレートの裏面に筒状突部（筒状部）を立設した２個のプレート部のそれぞれの筒状突部内に磁石片を挿入し、棒状の連結具の両端部を前記２個のプレート部の筒状突部に嵌挿し２つのプレート部を連結してなる磁石支持体の連結具と筒状突部を、前記貫通孔内に収納し、前記プレート部のプレートの裏面を前記ブロック本体の表面に当接させて玩具ブロックを構成する。
磁石支持体のブロック本体への取付け方法は限定しないが、例えば、予め連結具の一方の先端部を磁石を収納したプレート部の筒状突部に嵌入し、その連結具の他方の先端部をブロック本体の一方の開口から挿入し、他方の開口から磁石を収納した他のプレート部の筒状突部を嵌入し、２つのプレート部を互いの方向に押して前記他のプレート部の筒状突部内に前記連結具の他方の先端部を嵌入させてもよく、または、連結具をブロック本体の貫通孔に挿入してから、貫通孔の両開口のそれぞれから、磁石を収納したプレート部の筒状突部を嵌入し、２つのプレート部を互いの方向に押し、それら筒状突部内に貫通孔内の連結具の先端部を嵌入させて、２つのプレート部を連結具で連結してもよい。
【０００５】
垂直の複数の平面を有する多面体よりなるブロック本体を、それらの垂直面に直角に２分割した２分割体で構成し、それら分割体の分割面のそれぞれに、対称的に、分割体の垂直側面に開口し、かつ、該側面に直角で、分割面の中央で交わり連通する溝で、前記２つの分割体を接合したときに貫通孔を形成する溝を設け、
平面状のプレートの裏面に筒状突部を立設したプレート部のそれぞれの筒状突部内に磁石片を挿入し、それら筒状突部に、前記２つの分割体を接合した場合に前記溝でできる貫通孔に対応した形状で前記貫通孔内に収納でき、かつ、仮想水平面上で前記垂直の面の数に対応した数に分岐した棒状の先端部を有する連結具の各分岐先端部を、前記筒状突部内に嵌入させ、前記連結具で前記プレート部を連結してなる磁石支持体の前記筒状突部と連結具を、前記２つの分割体を接合してなるブロック本体の前記貫通孔内に収納し、前記プレート部のプレートの裏面を前記ブロック本体の表面に当接させて玩具ブロックを形成する。
磁石支持体のブロック本体への取付け方法は限定しない。前項で説明した方法のいずれかの方法によるのが好ましい。
【０００６】
垂直の４平面と、対向する水平の２平面を有する多面体のブロック本体を、前記垂直の４面に直角に上下２分割した２分割体で構成し、
それら分割体の分割面のそれぞれにおいて、対称的に、分割体の垂直側面に開口し、かつ、該側面に直角で、分割面の中央部で交叉連通する溝で、前記２つの分割体を接合したときに貫通孔を形成する溝を設け、前記溝が前記分割面の中央部で交叉連通する箇所で垂直の貫通孔を設け、
前記２つの分割体を接合したときに前記溝と貫通孔とでできる立体的貫通孔に収納でき、かつ、水平の棒状の４分岐部と、その分岐点において前記垂直の貫通孔に嵌入できる上下に垂直の２分岐部とでなる連結具の各分岐先端部を、前記連結具の分岐先端部の数の平面状のプレートの裏面に筒状突部を立設したプレート部のそれぞれの筒状突部内に磁石片を挿入しした後、前記プレート部の筒状突部内に嵌挿して、前記プレート部を連結してなる磁石支持体を前記２つの分割体を接合してなるブロック本体の前記立体的貫通孔内に収納し、前記プレート部のプレートの裏面を前記ブロック本体の表面に当接させて玩具ブロックを形成する。
【０００７】
球体、または、対向して曲面と曲面を有する多面体のブロック本体に前記球体においては中心を通る貫通孔を設け、前記多面体においては、前記２つの曲面で開口し、中央部を通る貫通孔を設け、
裏面が前記ブロック本体の球面または曲面に対応する曲面のプレートの裏面に筒状突部を立設した２個のプレート部のそれぞれの前記筒状突部内に磁石片を挿入し、前記筒状突部内に先端部を嵌挿できる連結用の棒状の連結具の先端部を嵌入して２個のプレート部を連結してなる磁石支持体の連結具と筒状突部を前記貫通孔内に収納し、前記２つのプレートの裏面を前記ブロック本体の表面に当接させて玩具ブロックを形成する。
【０００８】
球体のブロック本体、または、対向した曲面と曲面を有するブロック本体を、中心または中央部を通る仮想面で２分割した２分割体で構成し、それら分割体の分割面のそれぞれに、分割体の周側の複数の箇所で開口し、かつ、分割面の中心または中央部で交わり連通する溝で、前記２つの分割体を接合したときに貫通孔を形成する溝を対称的に設け、
前記ブロック本体の表面の球面または曲面に対応した曲面のプレートの裏面に筒状突部を立設した、前記２つの分割体を接合したときにできる貫通孔の開口の数のプレート部のそれぞれの筒状突部内に磁石片を挿入し、前記２つの分割体の接合時に前記溝でできる貫通孔に対応した形状で、かつ、該貫通孔内に収納でき、前記貫通孔の開口数に対応した数に分岐した先端部を有する連結具のそれぞれの先端部を、前記プレート部のそれぞれの筒状突部内に嵌挿してなる磁石支持体の連結具と筒状突部を前記２つの分割体を接合してなるブロック本体の貫通孔内に収納し、前記２つのプレートの裏面を前記ブロック本体の表面に当接させて玩具ブロックを形成する。
【０００９】
対向して曲面と平面を有する多面体のブロック本体に、前記２面で開口する貫通孔を設け、裏面が前記ブロック本体の曲面に対応する曲面のプレートと、平面のプレートのそれぞれの裏面に、前記貫通孔に嵌挿できる筒状突部を立設した２個のプレート部のそれぞれの前記筒状突部内に磁石片を挿入し、前記２個のプレート部の筒状突部のそれぞれに棒状の連結具の端部を嵌挿して２個のプレート部を連結した磁石支持体の前記筒状突部と連結具を前記貫通孔内に収納し、プレート部のプレートの裏面をブロック本体に当接させて玩具ブロックを形成する。
【００１０】
２つの分割体の分割面の中心部において、分割面の中央部で交わり連通する溝においては、その交わる箇所で、対向する２面で開口する溝においては、その長手方向の中央部で、前記溝に垂直で、かつ、分割体の分割面に対向する表面に開口する貫通孔を設け、プレート部の連結用の連結具を、前記２つの分割体を接合して前記溝と貫通孔でできる立体的貫通孔に対応して分岐する形状の連結具とし、前記連結具のそれぞれの分岐部の先端部を磁石を収納したプレート部の筒状突部に嵌挿してなる磁石支持体の前記連結具とそれにより連結した筒状突部とを、前記２つの分割体を接合してなるブロック本体の立体的貫通孔内に収納してもよい。
【００１１】
球体または多面体よりなるブロック本体に交叉連通する複数の貫通孔を設け、その交叉箇所に、少なくとも前記貫通孔の開口の数の貫通孔または凹部を設けたジョイントを内蔵させ、前記貫通孔の開口に対応する数の、裏面が前記ブロック本体の表面に対応したプレートの裏面に筒状突部を立設したプレート部の各筒状突部に磁石片を挿入した磁石支持体の、前記筒状突部に棒状の連結具の一端を嵌入させ、それら連結具の開放端を前記ブロック本体の貫通孔の開口から挿入し、前記筒状突部を該貫通孔に嵌入させ、かつ、前記磁石支持体のプレートをブロック本体の表面に当接させ、前記連結具の開放端を前記ジョイントの貫通孔または凹部に嵌入させて、該ジョイントで前記連結具を連結固定して玩具ブロックを形成する。
【００１２】
前記いずれの玩具ブロックにおいても、磁石片を用いないで、プレートと筒状突部を磁石で構成してもよい。
【００１３】
前記いずれの玩具ブロックにおいても、ブロック本体の表面に、プレートと筒状突部よりなるプレート部のプレートの裏面側を嵌合できる凹部を設け、その凹部に前記プレートの裏面側を嵌合し、前記プレートの表面が前記ブロック本体の表面と面一となるか、または、前記プレートの表面部が突出してブロック本体の表面に盛り上がった状態としてもよい。
【考案の効果】
【００１４】
この考案に係る玩具ブロックは、複数の磁石支持体のプレート部が、連結具でブロック本体内で連結固定され、磁石支持体の固定が確実で、ブロック本体がくりかえし押したり曲げたりしても、ブロック本体から磁石支持体が外れない。
ブロック本体の表面に現れた磁石支持体のプレートの面が、ブロックの表面よりも突出または盛り上がった状態である場合には、２つのブロックを当接させたときに、ブロックの２つの当接側の表面間に隙間が生じ、２つのブロックの一方または双方の回転を容易にする。
【考案を実施するための最良の形態】
【００１５】
図１は、直方体のブロック本体１に、その対向する２面の表面に磁石支持体２の両端のプレート４が顕出するように、磁石支持体２を取り付けたブロック３の斜視図であり、図２は、ブロック３の断面図である。
【００１６】
参考書によれば、どのような物体でも極僅かな磁性があると言うことであるが、一般には強磁性の物体を磁性体といっている。本願では、強磁性体の物体を磁性体と言い、それと区別するために、微弱な磁性の物体を非磁性体と言う。
【００１７】
磁石支持体２は、プレート４の裏面に筒状突部（筒状部）５を立設し、その中に磁石片６を挿入し、２つの筒状突部の先端開口を対向させ、２つの筒状突部５に棒状の連結具７を嵌挿させて２つのプレート４を連結したものである。
筒状突部５の筒の開口中心を通る軸線に対して直角の断面形状は、丸、多角形、その他いかなる形状であってもよい。連結具７の長手軸線に直角の断面形状は前記の筒状突部５の断面形状に対応させる。
【００１８】
プレート４と筒状突部５とは接着して形成してもよいが、一体成形するのが好ましい。  プレート４と筒状突部５とでなるプレート部の材料は、磁性体または非磁性体のいずれの材料でもよい。プレート４を非磁性体の材料で形成する場合には、プレートの厚みを薄くして、筒状突部内に収納した磁石の磁場がプレート４の表面側に及ぶようにする。
連結具７の材料も、磁性体または非磁性体のいずれの材料でもよい。非磁性体の材料の連結具を用いる場合には、連結した２つのプレート部の磁石片６の磁場が干渉しない長さとすれば、２つの磁石片６のＳ極、Ｎ極の向きを自由に選択できて好ましい。ただし、連結具７の材料を磁性体とした場合でも、２つの磁石片６の極の向きによっては２つの磁石は反発するが、磁石片６はプレート４に当接するので、磁石片６の向きは変わらず、したがって、プレート４の表面側の極は変わらない。
【００１９】
磁石支持体２のブロック本体１への取付けは次のとおりにする。
すなわち、ブロック本体１の対向する２面に開口する貫通孔８をブロック本体１の前記面に直角に設ける。貫通孔８の長手軸線に直角の断面形状は筒状突部５の断面形状と同じで、貫通孔８内に筒状突部５および連結具７を収納できるようにする。
そして、磁石支持体２の一方の筒状突部５内に磁石片６を挿入し、連結具７の一端をその筒状突部５内へ嵌挿し、その連結具７の他端の方から連結具７および筒状突部５を貫通孔８に嵌挿し、プレート４の周縁部の裏面を、貫通孔８の開口周縁のブロック本体１の表面に当接させ、磁石支持体２の他方の筒状突部５内に磁石を挿入し、その筒状突部５を貫通孔８の他方の開口から嵌入し、その筒状突部５の中に、先に貫通孔８に挿入してある前記連結具７の先端部を押し込み、前記他方のプレート４の周縁部の裏面を、貫通孔８の開口周縁のブロック本体１の表面に当接させる。これにより、２つの筒状突部５が貫通孔８内で連結具７により連結し、磁石支持体２がブロック本体１に取り付けられブロック３が形成される。
プレート４の裏面の周縁部をブロック本体の表面に当接接着させてもよい。
【００２０】
貫通孔８内に連結具７を挿入してから、貫通孔８の両開口のそれぞれに、磁石片６を収納したプレート部の筒状突部５を嵌挿し、貫通孔８内で、筒状突部５内に連結具７の端部を嵌挿させ、２つのプレート４を互いの方向に押して、プレート４の裏面の周縁部をブロック本体の表面に当接または当接接着させてもよい。
【００２１】
ブロック本体１の対向する２面にそれぞれ複数のプレート４が現れたブロックは次のように構成する。
図３は、対向する２面のそれぞれの面に２個のプレート４が現れたブロック３ａの断面を示すものである。
このブロック本体１では、対向する２面に開口し、それらの面に直角の貫通孔８を２個設ける。そして、ブロック３で前記説明した要領で、それぞれの貫通孔８において、２個のプレート４の筒状突部５内に磁石片６を挿入し、一方の筒状突部５内に連結具７を嵌入し、一方の貫通孔８の開口から連結具７と筒状突部５を、他方の開口から他方の筒状突部５を嵌挿し、貫通孔７内で、前記一方の筒状突部５より突出した連結具７の先端部を前記他方の筒状突部５に嵌入させ、両プレート４の周縁部の裏面を貫通孔の開口周囲のブロック本体の表面に当接または当接接着させる。
連結具７は、磁性体または非磁性体のいずれを材料としてもよい。
筒状突部５に挿入する磁石片５のＳ極、Ｎ極の向きを選択することによって、前記のとおり、ブロック本体１の同一面に現れた２個の磁石支持体２のプレート４の表面側を同極とすることもできるし、異極とすることができる。
【００２２】
前記何れの実施例においても、直方体のブロック本体について説明したが、ブロック本体は直方体に限定せず、対向する平行の２面を有する多角形のブロック本体にも、前記のとおりプレート部を取り付けることができる。
【００２３】
ブロック本体１の対向する２面にそれぞれ３個またはそれ以上のプレート４が現れたブロックは、３個またはそれ以上の貫通孔８を設け、前記要領でそれぞれの貫通孔８内で連結具７で筒状突部５を連結し、磁石支持体２を取り付ける。
磁石の向きを選択することにより、前記のとおりブロック本体１の表面に現れた磁石支持体２のプレート４の表面側の極を選択することができる。
【００２４】
対向する垂直２面を１組とする２組の面を有する直方体およびその他の多面体のブロック本体の前記４面にプレート４が現れたブロックは次のとおり形成する。
【００２５】
図５に示すとおり、直方体のブロック９について説明する。
まず、ブロック本体１を２つの分割体１ａと１ｂとで形成する。
分割体１ａと１ｂは、接合すべき面のそれぞれに対称的に、対向する垂直の面に直角で、接合すべき面の中央で交わる溝、図４においては、十字状の直交した溝１０を設ける。溝１０は、溝１０の長手線に直角の断面形状を半円形、コの字状、その他の形状とし、２つの分割体１ａと１ｂとを重ね合わせたときに、ブロック本体１の４面に開口し、内部で直行する断面円形または多角形の貫通孔を形成する。
【００２６】
図５に示すとおり、上記分割体１ａと１ｂとで挟持して取り付ける磁石支持体２ａは、水平に４つに棒状に分岐した連結具１１でプレート４を連結する。連結具１１の４つの分岐部のおのおのは、２つの分割体１ａと１ｂを接合した場合に２つの溝１１により形成される貫通孔内に収納可能とし、それぞれの分岐部に連結する筒状突部５は、貫通孔に嵌挿可能とする。
そして、連結具１１の分岐部の各先端部を、内部に磁石片６（図示省略）を収納た筒状突部５に嵌挿して連結し、その連結具１１とその先端部に取り付けた４つの筒状突部５を分割体１ａの溝１０に嵌合載置し、それらに分割体１ｂを、その溝１０を下方にして被せ、２つの分割体１ａと１ｂを接合し、４つのプレート４の裏面を接合した分割体１ａと１ｂの側面に当接させ、２つの分割体１ａと１ｂを接着固定してブロック９を形成する。  ２つの分割体１ａと１ｂとの接着は、２つの分割体１ａと１ｂとを接合する前にいずれか一方の接合面に接着剤を塗布しておくことにより行う。
分割体１ａと１ｂの側面へのプレート４の裏面の当接は、対向するプレート４を互いに対向するプレート４方向へ押すことにより行い、それにより、連結具１１の分岐部の先端部が筒状体５内に強く嵌挿し、連結具１１と筒状突部５との連結が強固になされる。
プレート４の裏面周縁部はブロック本体の表面に接着するのが好ましい。
これにより、ブロック９が完成する。
【００２７】
連結具１１と筒状突部との連結は次のようにしてもよい。
すなわち、連結具１１を前記要領で溝１０に嵌合させて２つの分割体１ａと１ｂを接着固定した後に、ブロック本体１に出来た貫通孔の開口のそれぞれから、内部に磁石片６を収納た筒状突部５を嵌挿し、それら筒状突部５内にブロック本体１内の連結具１１の各分岐部の先端部を嵌入させ、対向するプレート４を互いの方向に押し、プレート４の裏面をブロック本体の表面に当接させる。
【００２８】
対向する垂直の２面およびこれらの面に直角の垂直の対向する２面を有する直方体およびその他の多面体の前記１組の対向する垂直の面のそれぞれの面にプレート４を２個、これら垂直の面に直角で対向する他の垂直の対向する２面のそれぞれの面に１個のプレート４が現れたブロックは次のとおり形成する。
すなわち、ブロック本体はブロック９と同様に２つの分割体で構成し、それぞれの分割体の分割面に対称的に、平行の２本の溝に直角の１本の溝を直交させた「キ」の字状の溝を設け、その溝に対応する「キ」の字状の連結具を用い、ブロック９の形成について説明した方法と同様に、２つの分割体で連結具を挟み、連結具を溝に嵌合させ、２つの分割体を接着固定し、磁石片を収納した筒状突部を２つの分割体で構成されたブロック本体の貫通孔の開口から嵌挿して、ブロック本体内に収納されている連結具の分岐部の先端部を筒状突部内に嵌合させて連結し、対向するプレートを互いの方向に押して、プレートの裏面をブロック本体の表面に当接させる。
２つの分割体を接合する前に、連結具と筒状突部とを連結して磁石支持体を構成し、その磁石支持体を一方の分割体の溝に載置した後に他方の分割体を被せ、２つの分割体を接着し、対向するプレートを互いの方向に押してプレートの裏面をブロック本体の表面に当接させてもよい。
プレート４の裏面の周縁部をブロック本体の表面に当接接着させるのが好ましい。
【００２９】
対向する垂直の２面およびこれらの面に直角の垂直の対向する２面を有する直方体およびその他の多面体のブロック本体の、前記垂直の４面のそれぞれの面に２個のプレート４が現れたブロックは次のとおり形成する。
すなわち、ブロック本体はブロック９と同様に２つの分割体で構成し、それぞれの分割体の分割面に対称的に、平行の２本の溝に直角で平行の２本の溝を直交させた「井」の字状の溝を設け、その溝に対応する「井」の字状の連結具を用い、ブロック９の形成について説明した方法と同様に、２つの分割体で連結具を挟み、連結具を溝でできた貫通孔に収納して２つの分割体を接着固定し、磁石片を収納した筒状突部を２つの分割体で構成されたブロック本体の貫通孔の開口から嵌挿して、ブロック本体内に収納されている連結具の棒状の分岐部の先端部を筒状突部内に嵌合させて連結し、対向するプレートを互いの方向に押して、プレートの裏面をブロック本体の表面に当接させる。
このブロックにおいても、予め連結具で筒状突部を連結した磁石支持体を構成し、それを、前記「キ」の字状の連結具を用いる方法について説明したのと同様に、２つの分割体で挟んでもよい。
【００３０】
直方体等直角６面体および、対向する２組の垂直の２面とそれらに直角の水平の対向する２面を有し、各面が直角関係の多面体よりなるブロック本体の前記６面への磁石支持体の取付けは次のとおりにする。
直方体のブロック本体１２で説明する。
ブロック本体１２は、隣接する各面が直交するもので、次の２つの対称形の分割体１２ａと１２ｂで構成する。これら分割体は対称形であるので、図６に示す分割体１２ａで説明する。
分割体１２ａは、先に説明した分割体１ａと同様に、上面に十字状に交差した溝１０を設け、その交叉点に垂直の貫通孔１３を設けた構造である。
【００３１】
６個のプレート部４を連結するための連結具１４は、図７に示すとおり、先に説明の連結具１１と同様に、水平に４方向に分岐した棒状の分岐部１４ａと、その分岐点において垂直に２方向に分岐した棒状の分岐部１４ｂと１４ｂとよりなる。
【００３２】
この連結具１４を用いてプレート部を連結た磁石支持体のブロック本体への取付けは次のとおりにする。
先ず、水平の４本の分岐部１４ａのそれぞれの先端部を、内部に磁石片６（図示省略）を収納した筒状突部５に嵌入し、下向きの垂直の分岐部１４ｂの先端を分割体１２ａの貫通孔１３の上方の開口に対向させ、その先端部を貫通孔１３に押し込み、前記筒状突部５と水平の分岐部１４ａの下部を分割体１２ａの溝１０に嵌合載置する。
【００３３】
次いで、分割体１２ａと１２ｂの接合すべき面のいずれかの面に予め接着材を塗布し、分割体１２ｂを溝１０を下向きして分割体１２ａに対向させ、連結具１４の垂直の上向きの分岐部１４ｂの先端部を分割体１２ｂの貫通孔１３の下向き開口から貫通孔１３に嵌入させながら分割体１２ｂを下方向へ押し、分割体１２ａの溝に載置している水平の分岐部１４ａと筒状突部の上方部分を分割体１２ｂの溝１０に嵌合させ、分割体１２ａと１２ｂとを接着固定する。
【００３４】
次いで、接合した分割体１２ａと１２ｂとでなるブロック本体１２の上下表面の貫通孔１３の開口より、磁石片６（図示省略）内部に収納した筒状突部５を押し込み、ブロック本体内部に存在する連結具１４の垂直の分岐部１４ｂ、１４ｂの先端部を筒状突部５内に嵌入させる。
筒状突部５への水平の分岐部１４ａの嵌入も、連結具１４を挟んで、２つの分割体１２ａと１２ｂを接着してから、ブロック本体１２の側面の開口より、磁石片６（図示省略）を内部に収納した筒状突部５を押し込み、ブロック本体内部に存在する連結具１４の各水平の分岐部１４ａの先端部を筒状突部５内に嵌入させてもよい。
【００３５】
次いで、連結具１４の６個の分岐部で連結された６個のプレート４を、互いに対向する２つのプレート４を互いに相手方向に押し、それぞれのプレート４の周縁部の裏面をブロック本体の外面に当接または当接接着させる。
これにより６面体の６面のそれぞれにプレート４を取付けたブロックが完成する。
磁石片６の極の方向を選択することにより、ブロックの表面に現れたプレート４の表面側の磁石の極を選択する。
【００３６】
前記の６面を有する多面体のブロック本体の６面のそれぞれの面に２個のプレートが現れる磁石支持体の取付けは次のとおりにする。
すなわち、ブロック本体はブロック本体１２と同様に２つのの分割体で構成する。ブロック本体１２の分割体１２ａおよび１２ｂに対称的に、分割面に「十」字状の溝を設け、「十字状の交叉点に垂直の貫通孔を設けたが、「十」字状に替えて、分割面に対称的に平行の２つの溝とそれらに直角の２つの平行の溝、すなわち、「井」の字状の溝を設け、その溝の各交叉点で垂直の貫通孔を設ける。
連結具はこの溝および貫通孔に対応した１６に分岐した連結具を用いる。
この連結具を用いてブロック本体に磁石支持体を取付ける要領は、ブロック本体１２で説明した要領に準ずる。
【００３７】
前記６面を有する多面体のブロック本体の対向する２面のそれぞれの面に１個のプレート、他の４面のそれぞれの面に２個のプレートが現れるようにするには、前記のように２つの分割体の分割面に対称的に「キ」の字状の溝を設け、その溝の交叉点で垂直の貫通孔を設け、その溝および貫通孔に対応した１０に分岐した連結具を用い、ブロック本体１２で説明した要領に準じてブロック本体に磁石支持体を取り付ける。
【００３８】
また、前記６面を有する多面体のブロック本体の対向する２面のそれぞれの面に１個のプレート、他の４面のそれぞれの面に２個のプレートが現れるようにするには、上記の方法以外に、次のようにしてもよい。
すなわち、２つの分割体の分割面に対称的に「井」の字状の溝を設け、更に、「井」の字の中央の四角に囲まれた面の中心に垂直の貫通孔を設け、「井」の字状の溝に対応した連結具と、垂直の貫通孔に対応した連結用の棒状の連結具を用い、「井」の字状の連結具を挟んで２つの分割体を接合し、前記垂直の貫通孔の一方の開口から棒状の連結具を貫通孔内に挿入し、２つの分割体の接合により出来た「井」の字状の貫通孔と垂直の貫通孔のそれぞれの開口から磁石片を収納したプレート部の筒状突部を挿入し、各プレートをブロック本体の表面へ押し、ブロック本体内の前記分岐連結具および棒状の連結具の先端部を筒状突部内に嵌合し、各プレート４の裏面周縁部をブロック本体の表面に当接または当接接着する。
棒状の連結具および分岐連結具によるプレート部の連結は、上記の方法に限定しない。先に説明した要領に準じて、２つの分割体を接合の前に、「井」の字状の連結具にて連結を行い、棒状の連結具による連結は、２つの分割体を接合後に行ってもよい。
【００３９】
ブロック３、３ａ、９および１２は、対向する２面は平行である多面体であるが、対向する２面が平行でない面がある多面体においては、次のとおりプレート部４を取り付ける。
すなわち、平行でない１組の対向する２面にプレート４を取り付けるには、ブロック本体を２つの分割体とし、それらの接合すべき面のそれぞれにおいて、接合した場合の側面に対して直角の溝で、接合すべき面の中心部で交わる「く」の字状の溝を対称的に形成し、「く」の字の屈折角度に対応した「く」の字状の連結具を用い、その連結具の両端部を磁石を内蔵した筒状突部に嵌入して２つのプレート４を連結して磁石支持体を形成し、その磁石支持体の筒状突部と連結部の下方部分を一方の分割体の溝に嵌合載置し、他方の分割体を、溝を下向けて対向させて被せ、磁石支持体の筒状体と連結部の上方部分を前記他方の分割体の溝に嵌合させ、２つの分割体を接着固定し、２つのプレート４を互いの方向に押してそれらの周縁部の裏面をブロック本体の面に当接させる。
平行でない１組の対向する２面のそれぞれの面に複数のプレート４を取り付けるには、２つの分割体の分割面に、対称的に複数の「く」の字状の溝を設け、「く」の字状の連結具を複数個用い、前記要領でプレート４を取り付ける。
連結具と筒状突部との連結は、前記のとおり、先ず２つの分割体で連結具を挟んで２つの分割体を接着してブロック本体を形成し、そのブロック本体の側面に出来た貫通孔の開口から磁石を収納した筒状突部を嵌入させ、ブロック本体内の連結具の先端部を筒状突部に嵌入させ、各プレートの裏面をブロック本体の表面に押しつけることにより行ってもよい。
【００４０】
対向する２面が平行でない４面にプレート４を取り付けるには、対向する２面の角度に対応した４分岐の連結具を用い、前記と同様の要領でブロック本体の２分割の分割体に対称的に、前記連結具に対応した溝を形成し、前記連結具で４個のプレート部を連結した磁石支持体を形成し、その磁石支持体を前記２つの分割体で挟んで、前記要領でブロックを形成する。
【００４１】
対向する２面が平行でない６面にプレート４を取り付けるには、対向する２面の角度に対応した６分岐の連結具を用い、２または３分割した分割部の面に、前記連結部の分岐部の角度に対応して溝および貫通孔を形成し、前記ブロック９で説明した要領と同様の要領でプレートを取り付けたブロックを形成する。
【００４２】
なお、多面体の３面のそれぞれの面にプレート４を取付ける場合には、３つに分岐した連結具を用い、連結具が水平に分岐する場合には、ブロック本体は２分割体で構成し、接合面に連結具に対応した溝を形成し、連結具が非水平に３方向に分岐する場合には、ブロック本体を２つの分割体で構成し、接合すべき双方の分割部の面に対称的に連結具の２つの分岐部の角度に対応し、側面で開口する溝を形成し、２つの分割部を接合した場合に残りの分岐部に対応して、その分岐部の先端方向の分割体に、前記２つの分割部の溝に連通する貫通孔を形成し、ブロック９で説明した要領と同様の要領でプレート４を取付けて、ブロックを形成する。
【００４３】
前記いずれの実施例においても、プレート４の表面形状は、図においては円形であるが、円形に限定せず、円形以外に角形や、その他花型や動物の顔等不規則な形状であってもよい。
【００４４】
いずれの実施例においても、連結具の棒体または分岐部は、それらの長手方向に直角の断面形状は限定せず、円形または角型のいずれであってもよい。ただし、筒状突部の孔は、連結具の棒体または連結具の分岐部の前記断面形状に対応させるものとする。
【００４５】
上記いずれの実施例においても、多面体のブロック本体の平面にプレートを取り付けたが、曲面で、または曲面と平面とで構成されるブロック本体の曲面にも前記の要領で、プレートを取り付けることができる。
ただし、ブロック本体の曲面に取り付けるプレートの裏面は前記ブロックの曲面に対応する曲面のものとする。
図８は、球状のブロック本体１５に中心を通る貫通孔８を設け、棒状の連結具７を用いて球面状のプレート１６を取り付けたブロックの断面図である。
図９は、曲面と平面で構成されるブロック本体１７の対向する曲面と平面に開口する貫通孔８を設け、連結具７を用いて、曲面には曲面状のプレート１６を、平面には平面状のプレート４を取り付けたブロックの断面図である。
【００４６】
前記の実施例において、ブロック本体を分割し、「十」字状、「キ」の字状、「井」の字状の分岐した連結具や、それら分岐点に垂直の分岐部を加えた連結具を用いたが、棒状の連結具とジョイントを用うれば、ブロック本体を分割体で構成することなく、ブロック本体に貫通孔を設けて複数の磁石支持体を取り付けることができる。
【００４７】
図１０はジョイント１８を用いてブロック本体１９の２組の対向する２面、すなわち４面のそれぞれに磁石支持体を取付け、それぞれのプレート４をブロック本体１９の表面に顕出させたブロック２０の断面図である。
【００４８】
ブロック本体１９には、対向する２面で開口し、ブロック本体１９の中央部で交叉連通する２本の貫通孔２１を設ける。
貫通孔２１の断面形状は、磁石支持体のプレート部の筒状突部５の先端形状と同じで、貫通孔２１の径は、筒状突部５の径と同じとする。ただし、ブロック本体１９が、弾性ある材質のものである場合には、貫通孔２１の断面形状は、筒状突部５の先端形状と相似形で、貫通孔２１の断面の径は筒状突部５の先端の径よりも僅かに小さいものとするのが好ましく、この場合には、筒状突部５が貫通孔２１を押し拡げて嵌入した後、ブロック本体１９の弾性で貫通孔２１の内壁が締まって筒状突部５を締め、プレートがブロック本体１９に強固に固定する。
【００４９】
図１１は、立方体形状のジョイント１８を示す。
ジョイント１８には、対向する面で開口する３本の貫通孔２２をジョイント１８の中心部で交叉連通させて設けたもので、６面のそれぞれに開口を有する。
貫通孔２２の代わりに６面のそれぞれに凹部を設けてもよい。
貫通孔２２または凹部の径は、筒状突部に一端を嵌入した棒状の連結具７ａの他端が嵌入しうる大きさとする。
ジョイントは立方体形状に限定せず、球形でもよい。
【００５０】
ブロック本体１９への磁石支持体の取付けは次のようにする。
すなわち、先ず、磁石片６を収納した１つ磁石支持体の筒状突部に、棒状の連結具７ａの一端を嵌入させ、他端をジョイント１８の１つの貫通孔２２の開口または凹部に嵌入させる。
次いで、連結具７ａで押してジョイント１８をブロック本体１９の１つの面の貫通孔２１の開口から貫通孔２１に押し込み、プレート４の裏面がブロック本体１９の表面に当接させる。
連結具７ａの長さを、上記のとおりプレート４の裏面がブロック本体１９の表面に当接したときに、ジョイント１８が２つの貫通孔２１の交叉点に位置するよう設計する。
【００５１】
次いで、順次、磁石片６を収納した磁石支持体の筒状突部５に連結具７ａの一端を嵌入させ、その開放端を、ブロック本体１９の他の面の貫通孔２１の開口から挿入し、プレート４の裏面がブロック本体１９の表面に当接するまで押し、ブロック本体１９内のジョイント１８の貫通孔２２または凹部に嵌入させる。これにより、４本の連結具７ａの端部がジョイント１８により連結固定し、４つの磁石支持体が強固に連結してブロック本体１９に取付け完了する。
【００５２】
ジョイント１８を予め棒体で貫通孔２１の開口から貫通孔２１の交叉点まで押し込んだ後に、４つの磁石支持体の筒状突部５のそれぞれに連結具７ａの一端を嵌入させ、それらの他端を４つの貫通孔２１の開口のそれぞれから挿入し、かつ、貫通孔２１内でジョイント１８の貫通孔２２または凹部に嵌入させて、４本の連結具７ａをジョイント１８で連結してもよい。
【００５３】
図１０に示すブロック２０では、ブロック本体１９の４面の開口から、連結具７ａを挿入し、その先端をジョイント１８の貫通孔２２または凹部に嵌入させているので、ジョイント１８では２つの貫通孔２２または凹部には、連結具７ａが嵌挿されずに遊んだ状態になっている。
そこで、ジョイント１８の代わりに、立方体の対向する２面の２組の面、すなわち、４面に開口する貫通孔２２または凹部を設けたジョイントを用いてもよい。
【００５４】
図１０に示すブロック本体１９において、貫通孔２１を設けてない対向する２面間にも貫通孔２１を追加して設け、３本の貫通孔２１をブロック本体１９内の１か所で交叉連通させ、前記要領でジョイント１８を１つの開口から交叉箇所まで押し込み、ブロック本体の他の開口から前記の要領で磁石支持体に取り付けた連結具７ａと筒状突部５を挿入し、連結具７ａの開放端をジョイント１８の貫通孔２２または凹部に嵌入させて、６本の連結具７ａをジョイント１８で連結固定すれば、６面体の６面側に磁石支持体のプレートを取り付けることができる。
【００５５】
各種形状のブロック本体において、対向する２面と他の１面の３面に磁石支持体のプレート４を取り付けるためには、ブロック本体の対向する２面に開口する貫通孔を設け、他の１面から前記貫通孔に連通する貫通孔を設け、少なくともそれら貫通孔の交叉角度に対応した角度に対応した貫通孔または凹部を設けたジョイントを用い、該ジョイントを前記要領で、前記ブロック本体の１つの貫通孔の開口から交叉箇所に押し込み、他の２つの開口から、磁石支持体の筒状突部に一端を嵌入した連結具７ａの開放端を挿入し、その開放端を前記ジョイントの貫通孔または凹部に嵌入し、ジョイントで３本の連結具７ａを連結固定する。
【００５６】
前記実施例で、ブロック本体を分割し、「キ」の字状、「井」の字状に分岐した連結具、およびそれらの交叉点で垂直の分岐部を加えた連結具を用いたブロックに替え、ブロック本体を分割しないで、ジョイントを用いることにより、ブロック本体に「キ」の字状、「井」の字状に分岐した貫通孔、およびそれらの交叉点で垂直に分岐して連通する貫通孔を設け、前記要領で、貫通孔の各交叉箇所にジョイントを押し込み、連結孔の各開口から挿入した磁石支持体を取り付けた棒状の連結具の先端を前記ジョイントで連結固定して、ブロック本体の複数の面のそれぞれの面に１または複数の磁石支持体のプレートを取り付けることができる。
【００５７】
上記ジョイントを用いたいずれの実施例においても、連結する連結具の数に応じた貫通孔または凹部を用いたジョイントを使用してもよい。
だだし、貫通孔および凹部の数が連結する連結具の数より多く、連結具の先端を挿入しないで残っていてもよく、多数の種類のジョイントを製作、準備しなくても、貫通孔および凹部の数が多いジョイントは多くの状況に共用できて好ましい。
【００５８】
前記いずれの実施例においても、プレートの周縁部の裏面をプロック本体の表面に当接させたので、プレート部の厚みがブロック本体の表面よりも突出している。
上記の構成と異なり、ブロック本体の表面に、プレートの周縁部形状の凹部を形成し、その凹部にプレートを嵌合させてもよい。この場合、その嵌合後のプレートの表面がブロック本体の表面と面一としてもよいが、プレート部の表面側の一部、その程度は限定しないが、たとえば、プレートの厚みの２分の１乃至３分の１程度、がブロック本体の表面よりも突出、すなわち、プレート４の表面側の一部がブロック本体の表面より僅かに盛り上がった状態とするのが好ましい。この表面部を突出または盛り上がった状態とすると、２つのブロック本体のプレートを当接させたときに、２つのブロック本体の表面の間に隙間が生じ、２つのブロックの一方または双方を回転し易くするので、ブロックで車、水車小屋や風車等を組み立てて、車輪、水車、風車等を回転させて遊ぶことが出来る。
【００５９】
前記いずれの実施例においても、筒状突部５に磁石片６を挿入したが、プレートと筒状突部を磁石とすれば、磁石片６を省略することができる。
たとえば、プラスチック粉末に磁性体粉末を混合して成形し、磁化して磁石とする。磁極Ｓ、Ｎはプレートの表面側か筒状突部５の開口側のいずれかとする。
【００６０】
上記いずれの実施例においても、連結具の棒体または分岐部の長さの異なるものを選択すことにより、各種の厚みのブロック本体に対応してプレート部を取り付けることができる。
【００６１】
上記いずれの実施例においても、連結具の棒体または分岐部はソリっドまたはパイプ状の棒体のいずれであってもよい。
【００６２】
上記いずれの実施例においても、ブロック本体と磁石支持体のプレートの裏面、筒状突部の内面とそれに嵌入した連結具の先端部の外面、筒状突部の外面とブロック本体の溝または貫通孔の内壁を接着固定してもよい。
【００６３】
上記いずれの実施例においても、プレート表面側の磁極の区別のために、プレートの色彩または形を変えるのが好ましい。
【図面の簡単な説明】
【００６４】
【図１】ブロックの斜視図である。
【図２】ブロックの断面図である。
【図３】他の実施の形態のブロックの断面図である。
【図４】他の実施の形態のブロック本体の分割体の一方の斜視図である。
【図５】２つの分割体で構成したブロック本体に磁石支持体を取付けた状態の説明図である。
【図６】他の実施の形態のブロック本体の分割体の一方の斜視図である。
【図７】他の実施の形態の連結具の斜視図である。
【図８】他の実施の形態のブロックの断面図である。
【図９】他の実施の形態のブロックの断面図である。
【図１０】他の実施の形態のブロックの断面図である。
【図１１】ジョイントの斜視図である。
【符号の説明】
【００６５】
１    ブロック本体
１ａ、１ｂ  分割部
２    磁石支持体
３    ブロック
４    プレート
５    筒状突部
６    磁石片
７、７ａ  連結具
８    貫通孔
９    ブロック
１０  溝
１１  連結具
１２  ブロック本体
１２ａ、１２ｂ  分割部
１３  貫通孔
１４  連結具
１４ａ、１４ｂ  分岐部
１５  ブロック本体
１６  プレート
１７  ブロック本体
１８  ジョイント
１９  ブロック本体
２０  ブロック
２１  貫通孔
２２  貫通孔
【図１】
0003116318.tif 000003
【図２】
0003116318.tif 000004
【図３】
0003116318.tif 000005
【図４】
0003116318.tif 000006
【図５】
0003116318.tif 000007
【図６】
0003116318.tif 000008
【図７】
0003116318.tif 000009
【図８】
0003116318.tif 000010
【図９】
0003116318.tif 000011
【図１０】
0003116318.tif 000012
【図１１】
0003116318.tif 000013